(57)【要約】扇形（３）および円形（４）マーキングと、中心孔（２）と、マーキングの交差点と一致する孔（５）を備えている薄い円盤状のテンプレート（１）が提供され、円形縫いおよび刺繍の工程の助けとなるように、このテンプレート（１）を用いて中心点基準マーキングをプロットすることを可能にする。【選択図】図１
2005504894.tif 000002
【特許請求の範囲】
【請求項１】
円形縫い及び刺繍の工程を手助けするためのテンプレートであって、該テンプレートは円盤状の本体であって、その上に中心孔と、扇形および円形のマーキングと、そして該本体上の該マーキングの交差点と一致している該本体中の多数の孔とを備えており、それらは素材の上にマーキングされるべき円形、弓形及び他のパターンに対して中心点を位置決めすることを可能とするテンプレート。
【請求項２】
該扇形のマーキングは、位置が対向する位置にある、請求項１に記載のテンプレート。
【請求項３】
該円形のマーキングは、規則正しく間隔を開けておかれている、請求項１に記載のテンプレート。
【請求項４】
該テンプレートは、およそ直径１３インチ（３３センチメートル）である、請求項１に記載のテンプレート。
【請求項５】
主たる扇形のマーキングは、該本体の４つの扇形の中で４５°及び６０°の間隔を開けておかれているものである、請求項１に記載のテンプレート。
【請求項６】
従たる扇形のマーキングが該主たる扇形のマーキングの間に提供されている、請求項５に記載のテンプレート。
【請求項７】
（ａ）円形縫いアタッチメントを針に近接してミシンのアーム上に位置決めするステップ、
（ｂ）請求項１に記載のテンプレート装置を利用して、素材の上に中心位置をマーキングするステップ、
（ｃ）該素材の上に他の計略した点をマーキングするステップ、
（ｄ）該素材を円形縫いアタッチメントのピンの上に置き、ミシンの針に関して該ピンの間隔を調整するステップ、そして
（ｅ）該素材の上に所望の意匠またはパターンを縫い込むステップ、
とからなる布帛の上にパターンを形成する方法。
【発明の詳細な説明】
【技術分野】
【０００１】
本発明は、円形縫い刺繍等の工程を手助けするためテンプレート及び器具に関する。
【背景技術】
【０００２】
規則正しい縫製又は刺繍のパターンおよび意匠は芸術的である。
【０００３】
その工程は、種々のタイプの型紙、テンプレート、定規及び円形縫いアタッチメントのような器具を使用することにより手助けされる。
【０００４】
そのような器具及び道具は手助けであるが、規則正しく、かつ、一貫した結果の作成は必ずしも保証されず、そして作業の品質はオペレーターの技倆に依存し続ける。
【０００５】
本発明の目的は、手工芸の品質及び一貫性を高めるであろう円形縫い及び刺繍の工程を手助けするテンプレートを提供することである。
【０００６】
本発明のさらなる目的及び利益は、例として与えた以下の説明から明らかとなるであろう。
【発明の開示】
【０００７】
本発明の一つの形態によると、円形縫い及び刺繍の工程を手助けするためのテンプレートが提供される。
【０００８】
テンプレートは円盤状の本体であって、その上に中心孔と、扇形および円形のマーキングと、そして本体上のマーキングの交差点と一致している本体中の多数の孔とを備えており、それらは素材の上にマーキングされるべき円形、弓形及び他のパターンに対して中心点を位置決めすることを可能にする。
【０００９】
扇形のマーキングは、対向位置とすることができる。
【００１０】
円形のマーキンクは、規則正しく間隔を開けておくことができる。
【００１１】
テンプレートは、およそ直径１３インチ（３３センチメートル）であってよい。
【００１２】
主たる扇形のマーキングは、本体の４つの扇形の中に４５°及び６０°の間隔を開けて提供することができる。
【００１３】
従たる扇形のマーキングは、主たる扇形のマーキングの間に提供することができる。
【００１４】
本発明のさらなる形態によると、
（ａ）円形縫いアタッチメントを針に近接して、ミシンのアーム上に位置決めするステップ、
（ｂ）前述のようなテンプレート装置を利用して、素材の上に中心位置をマーキングするステップ、
（ｃ）素材の上に他の計略した点をマーキングするステップ、
（ｄ）素材を円形縫いアタッチメントのピンの上に置き、ミシンの針に関してピンの間隔を調整するステップ、そして
（ｅ）素材の上に所望の意匠またはパターンを縫い込むステップ、
とからなる布帛の上にパターンを形成する方法が提供される。
【発明を実施するための最良の形態】
【００１５】
本発明の形態は、今や添付の図面に関して詳細に述べられるであろう。
【００１６】
図１に示されている本発明によるテンプレートは、円盤状の本体１と、本体１上の中心孔２、扇形および円形のマーキング３，４と、そして本体上のマーキングの交差点と一致している多数の孔５とを備えている。
【００１７】
扇形のマーキングは、規則正しく間隔を開けておくことができる。
【００１８】
また、円形のマーキングを規則正しく間隔を開けておくことができる。
【００１９】
テンプレートは、およそ直径１２と１／２インチ（３２センチメートル）であってよい。
【００２０】
主たる扇形のマーキング３ａは、６０°及び４５°の間隔を開けておかれてよい。
【００２１】
従たる扇形のマーキング３ｂは、主たる扇形のマーキング３の間に提供されてよい。
【００２２】
“公知技術”とマークされた図２は、矢印７により指示された代表的な円形縫いアタッチメントを一般的に表わしている。
【００２３】
アタッチメントは、取付け部材８、スライディングアーム９、アームを固定するためのロック１０からなる。
【００２４】
アームは、針１２と中央キャップ１３がその上に取り付けられた中央プレート１１を取り付ける。
【００２５】
孔２を介してパターンの中心位置をマーキングすることを含めて、本テンプレートを利用して素材の上に要求されたマーキングを作成した後で、素材を針１２に取り付け、そして針の上に中央キャップ１３を配置することができる。
【００２６】
そしてその後、素材を中央キャップの回りに円形を描くように案内しながら縫製を開始することができる。
【００２７】
図３から３ｇまでは、本テンプレートを利用してマーキングすることができる、正方形、長方形、三角形、円形、半円形、六角形、これらの形状の組み合せといった多数なパターンを示している。
【００２８】
したがって、本テンプレートは数多くの異なるパターンのための万能道具として利用することができる。
【００２９】
本発明の主な利益は、本テンプレートの利用が、多数の繰り返されたそして変化したパターンにおいて正確でかつ対称的な縫製及び刺繍を提供することにある。
【００３０】
さらに、本発明は以下の利益を提供する。
（ａ）円弧又は円の中心点の位置決め
（ｂ）機械及び手作業の刺繍、アップリケ及びそのようなものの正確な位置決め、
（ｃ）手作業、機械等によるパッチワークおよびキルティングに利用するために、いかなる形状もマーキングすることができること。
【００３１】
本発明の形態は実施例のみによって記載されたが、請求項に記載されている本発明の範囲から逸脱することなくその修飾及び付加をなすことができることが認められるであろう。
【図面の簡単な説明】
【００３２】
【図１】本発明によるテンプレート器具の平面図である。
【図２】公知のミシンのための代表的な円形縫いアタッチメントの斜視図である。
【図３】本発明のテンプレート器具を利用して作成することができる、素材の上の代表的なマーキングを示す。
【国際公開パンフレット】
2005504894.tif 000003
2005504894.tif 000004
2005504894.tif 000005
2005504894.tif 000006
2005504894.tif 000007
2005504894.tif 000008
2005504894.tif 000009
2005504894.tif 000010
2005504894.tif 000011
【国際調査報告】
2005504894.tif 000012
2005504894.tif 000013